(57)【特許請求の範囲】
【請求項１】
複数の伝送路のデータを二重化して運用系の伝送路と予備系の伝送路に分配する切替装置と、前記運用系の伝送路と予備系の伝送路のそれぞれに設けられ、前記切替装置から分配された複数の伝送路を伝送するデータを多重化する多重化装置と、からなる多重化通信装置の伝送路二重化システムであって、
前記切替装置および多重化装置のそれぞれに制御部が設けられ、前記多重化装置の制御部は所定時間以上の信号入力断により伝送路障害を検出すると送信と受信で使用する伝送路を一致させるために多重化構成区間の両端に伝送路障害を通知し、各制御部は各伝送路を伝送するデータ信号の断により協動して双方向の伝送路を運用系から予備系に切り替えることを特徴とする多重化通信装置の伝送路二重化システム。
【請求項２】
請求項１記載の多重化通信装置の伝送路二重化システムにおいて、
多重化装置は、切替装置と接続する複数の低速送受信部と、前記低速送受信部にて受信されたデータを多重化する多重化部と、前記多重化部にて多重化された多重化データを対向する他の多重化装置へ送出する高速送受信部と、前記高速送受信部にて受信された対向する多重化装置からの多重化データを分離して前記複数の低速送受信部へ送出する分離部と、各部の動作を制御する制御部とからなり、
前記低速送受信部および高速送受信部のそれぞれは、切替装置および対向して設けられた多重化装置と接続する伝送路から所定時間以上信号入力断となると入力異常としてその旨を前記制御部に通知するとともに信号の出力を停止し、該通知を受けた前記制御部は、通知を受けていない前記低速送受信部または高速送受信部の信号出力を停止させることを特徴とする多重化通信装置の伝送路二重化システム。
【請求項３】
請求項１または請求項２記載の多重化通信装置の伝送路二重化システムにおいて、
切替装置は、複数の伝送路とそれぞれ接続する複数の第１の低速送受信部と、前記複数の第１の低速送受信部に対応して運用系および予備系の伝送路にそれぞれ複数設けられ、多重化装置と接続する第２および第３の低速送受信部と、前記第１の低速送受信部と第２のおよび第３の低速送受信部との間に設けられ、第１の低速送受信部からのデータを複製して第２および第３の低速送受信部へ送出し、第２および第３の低速送受信部からのデータのいずれかを選択して第１の低速送受信部へ送出する複製選択部と、各部の動作を制御する制御部とからなり、
前記第２および第３の低速送受信部は、多重化装置と接続する伝送路から所定時間以上信号入力断となると入力異常としてその旨を前記制御部に通知し、該通知を受けた前記制御部は、通常時には前記複製選択部に前記第２の低速送受信部からのデータを選択させ、前記第２の低速送受信部から入力異常の通知を受けた場合には、前記第３の低速送受信部から所定時間以上入力異常の通知を受けていないことを確認した後に前記複製選択部に前記第３の低速送受信部からのデータを選択させることを特徴とする多重化通信装置の伝送路二重化システム。
【請求項４】
請求項３記載の多重化通信装置の伝送路二重化システムにおいて、
複製選択部は、第１の低速送受信部からのデータを複製して第２および第３の低速送受信部へ送出する複製部と、第２および第３の低速送受信部からのデータのいずれかを選択して第１の低速送受信部へ送出する選択部とからなる伝送路二重化システム。
【請求項５】
請求項３記載の多重化通信装置の伝送路二重化システムにおいて、
複製選択部は、複数の入出力ポートを備えるスイッチである伝送路二重化システム。
【発明の詳細な説明】
【０００１】
【発明の属する技術分野】
本発明は、多重化通信装置を用いた伝送システムに関し、特に、二重化された伝送路を備える多重化通信装置の伝送路二重化システムに関する。
【０００２】
【従来の技術】
従来より、多重化通信システムの信頼性を向上するために、伝送路を運用系と予備系の二重とし、運用系の伝送路に障害が発生したときに予備系に切り替えるシステムが構築されている。
【０００３】
通信システムとしては、様々なプロトコルのものが用いられるが、伝送路に障害が発生したときに警報を発生して転送する警報転送機能を備えるプロトコルが用いられ、転送されてきた警報を確認すると運用系を予備系に切り替えることが行われていた。
【０００４】
また、運用系と予備系とを切り替える切替部は、多重化を行う多重化装置と組み合わされ、同じ制御部の制御により信号の多重化と分離、および、運用系と現用系の切替が行われていた。
【０００５】
【発明が解決しようとする課題】
上述した従来の多重化通信装置の伝送路二重化システムは、警報転送機能を備えるプロトコルを用いることが前提とされていたため、例えばイーサネットのような警報転送機能が定義されていないデータ通信プロトコルを使用した通信システムには適用することができないという問題点がある。
【０００６】
また、警報転送機能を用いた場合にも、警報の転送が終了するまでは予備系に切り替えられることがないため、切替を迅速に行うことができないという問題点がある。
【０００７】
さらに、切替部と多重化装置とが一体とされているため、サービスを利用するユーザの回線は、切替装置を通して多重化装置に接続されることとなり、装置の規模が大きく、コストが高くなっていた。
【０００８】
また、切替部に接続された回線は装置内部で二重化されて多重化装置に接続される構成であるため、伝送路の二重化を行うサービスと二重化を行わないサービスを混在させるような場合でも、二重化サービスを必要としない（一重化サービス）ユーザの回線についても二重化して接続することとなり、多重化するチャネルを有効に利用することができないという問題点がある。
【０００９】
本発明は上述したような従来の技術が有する問題点に鑑みてなされたものであって、プロトコルの種類によらずに伝送路の切替を迅速に行うことができ、さらには、多重化するチャネルを有効に利用することのできる多重化通信装置の伝送路二重化システムを実現することを目的とする。
【００１０】
【課題を解決するための手段】
本発明の多重化通信装置の伝送路二重化システムは、複数の伝送路のデータを二重化して運用系の伝送路と予備系の伝送路に分配する切替装置と、前記運用系の伝送路と予備系の伝送路のそれぞれに設けられ、前記切替装置から分配された複数の伝送路を伝送するデータを多重化する多重化装置と、からなる多重化通信装置の伝送路二重化システムであって、
前記切替装置および多重化装置のそれぞれに制御部が設けられ、前記多重化装置の制御部は所定時間以上の信号入力断により伝送路障害を検出すると送信と受信で使用する伝送路を一致させるために多重化構成区間の両端に伝送路障害を通知し、各制御部は各伝送路を伝送するデータ信号の断により協動して双方向の伝送路を運用系から予備系に切り替えることを特徴とする。
【００１１】
この場合、多重化装置は、切替装置と接続する複数の低速送受信部と、前記低速送受信部にて受信されたデータを多重化する多重化部と、前記多重化部にて多重化された多重化データを対向する他の多重化装置へ送出する高速送受信部と、前記高速送受信部にて受信された対向する多重化装置からの多重化データを分離して前記複数の低速送受信部へ送出する分離部と、各部の動作を制御する制御部とからなり、
前記低速送受信部および高速送受信部のそれぞれは、切替装置および対向して設けられた多重化装置と接続する伝送路から所定時間以上信号入力断となると入力異常としてその旨を前記制御部に通知するとともに信号の出力を停止し、該通知を受けた前記制御部は、通知を受けていない前記低速送受信部または高速送受信部の信号出力を停止させることとしてもよい。
【００１２】
上記のいずれにおいても、切替装置は、複数の伝送路とそれぞれ接続する複数の第１の低速送受信部と、前記複数の第１の低速送受信部に対応して運用系および予備系の伝送路にそれぞれ複数設けられ、多重化装置と接続する第２および第３の低速送受信部と、前記第１の低速送受信部と第２のおよび第３の低速送受信部との間に設けられ、第１の低速送受信部からのデータを複製して第２および第３の低速送受信部へ送出し、第２および第３の低速送受信部からのデータのいずれかを選択して第１の低速送受信部へ送出する複製選択部と、各部の動作を制御する制御部とからなり、
前記第２および第３の低速送受信部は、多重化装置と接続する伝送路から所定時間以上信号入力断となると入力異常としてその旨を前記制御部に通知し、該通知を受けた前記制御部は、通常時には前記複製選択部に前記第２の低速送受信部からのデータを選択させ、前記第２の低速送受信部から入力異常の通知を受けた場合には、前記第３の低速送受信部から所定時間以上入力異常の通知を受けていないことを確認した後に前記複製選択部に前記第３の低速送受信部からのデータを選択させることとしてもよい。
【００１３】
また、複製選択部は、第１の低速送受信部からのデータを複製して第２および第３の低速送受信部へ送出する複製部と、第２および第３の低速送受信部からのデータのいずれかを選択して第１の低速送受信部へ送出する選択部とからなるとしてもよい。
【００１４】
さらに、複製選択部は、複数の入出力ポートを備えるスイッチとしてもよい。
【００１５】
上記のように構成される本発明による多重化通信装置の伝送路二重化システムは、伝送路の障害を検出時、光出力断を利用して二重化構成区間の両端に伝送路障害を通知することにより、高速な伝送路切替を実現するものである。
【００１６】
二重化切替機能と多重化機能を分割していることにより、伝送路二重化サービスと伝送路一重化サービスを同時に提供でき、かつ、収容回線数を増加させることができることも特徴である。
【００１７】
多重化装置と切替装置を切り離した構成になっており、切替装置側では、収容するｃｈ毎に独立で伝送フレームの終端をすることなく、入力信号の断検出を行っているため、切替装置自体は通信プロトコルに依存しないことも特徴である。
【００１８】
１つの切替装置内でｃｈ単位に異なるプロトコルを用いることができることも特徴である。
【００１９】
二重化する伝送路側をｃｈ毎に独立に異なる伝送路を選択することができ、多重化装置内に二重化切替部を配備した場合より応用範囲が広いことも特徴である。
【００２０】
光の入出力断を利用しているが、電気信号の入出力断によっても同様の方式で実現できる。
【００２１】
【発明の実施の形態】
次に、本発明の実施例について図面を参照して説明する。
【００２２】
図１は、本発明による多重化通信装置の伝送路二重化システムの第１の実施例の構成を示すブロック図である。
【００２３】
本実施例は、２台の切替装置１０１，１０６と、４台の多重化装置１０２，１０３，１０４，１０５と、各装置間を接続する回線から構成される。２台の切替装置１０１，１０６の構成および４台の多重化装置１０２，１０３，１０４，１０５はそれぞれ同様に構成されており、切替装置１０１，１０６の間に設けられた多重化装置１０２〜１０５により各切替装置間の伝送を行うものである。多重化装置１０２，１０４は一方の伝送路となる０系の高速伝送路を構成し、多重化装置１０３，１０５は他方の伝送路となる１系の高速伝送路を構成している。
【００２４】
本実施例においては、上記のように、多重化装置による多重数は４とされているが、多重数は１以上の整数であれば本発明は適用可能である。
【００２５】
まず、切替装置１０１，１０６の構成について詳細に説明する。
【００２６】
切替装置１０１は、低速送受信部１-１〜１-４，４-０-１〜４-０-４，４-１-１〜４-１-４、ＣＯＰＹ部（複製部）２-１〜２-４、ＳＥＬ部（選択部）３-１〜３-４およびこれらの各部と接続し、その動作を制御する制御部５から構成されている。
【００２７】
低速送受信部１-１〜１-４は、切替装置１０１外部との接続回線となる低速回線１ａ〜４ａと接続され、また、切替装置１０１内ではＣＯＰＹ部２-１〜２-４およびＳＥＬ部３-１〜３-４とそれぞれ接続されるもので、低速回線１ａ〜４ａ上の光信号と切替装置１０１内の電気信号との双方向変換機能を有する。また、低速送受信部１-１〜１-４は、低速回線１ａ〜４ａから入力される信号を監視し、所定時間以上の信号入力断などの異常が検出されると制御部５に入力信号の異常を通知する機能を有する。さらに、低速送受信部１-１〜１-４は、制御部５から入力される出力制御信号に従い、低速回線１ａ〜４ａへの光出力を停止する機能を有する。
【００２８】
ＣＯＰＹ部２-１〜２-４は、低速送受信部１-１〜１-４から入力される信号を複製して低速送受信部４-０-１〜４-０-４および４-１-１〜４-１-４のそれぞれに出力する機能を有する。
【００２９】
ＳＥＬ部３-１〜３-４は、低速送受信部４-０-１〜４-０-４および４-１-１〜４-１-４のそれぞれからの信号を入力し、制御部５から入力される選択信号に従って入力信号のいずれかを選択して低速送受信部１-１〜１-４へ出力する機能を有する。
【００３０】
低速送受信部４-０-１〜４-０-４，４-１-１〜４-１-４は、切替装置１０１内のＣＯＰＹ部２-１〜２-４とＳＥＬ部３-１〜３-４と接続され、また、多重化装置１０２，１０３との間にそれぞれ設けられた低速伝送路１ａ-０〜４ａ-０，１ａ-１〜４ａ-１を介して多重化装置１０２，１０３と接続されるもので、切替装置１０１内の電気信号と低速伝送路１ａ-０〜４ａ-０，１ａ-１〜４ａ-１上の光信号との双方向変換機能を有する。また、低速伝送路１ａ-０〜４ａ-０，１ａ-１〜４ａ-１から入力される信号を監視し、所定時間以上の信号入力断などの異常が検出されると制御部５に入力信号の異常を通知する機能を有する。さらに、制御部５から入力される出力制御信号に従い、低速伝送路１ａ-０〜４ａ-０，１ａ-１〜４ａ-１への光出力を停止する機能を有する。
【００３１】
制御部５は、低速送受信部１-１〜１-４と低速送受信部４-０-１〜４-０-４，４-１-１〜４-１-４のそれぞれから入力される入力信号の異常を示す入力異常信号をチャネル毎に監視し、各低速送受信部の光出力制御とＳＥＬ部３-１〜３-４の選択制御機能を有する。
【００３２】
切替装置１０６は、切替装置１０１と同様の構成とされるもので、切替装置１０２における低速送受信部１７-１〜１７-４，１４-０-１〜１４-０-４，１４-１-１〜１４-１-４のそれぞれは、切替装置１０１における低速送受信部１-１〜１-４，４-０-１〜４-０-４，４-１-１〜４-１-４に相当し、切替装置１０２におけるＣＯＰＹ部１５-１〜１５-４、ＳＥＬ部１６-１〜１６-４および制御部１８のそれぞれは切替装置１０１におけるＣＯＰＹ部２-１〜２-４、ＳＥＬ部３-１〜３-４および制御部５に相当する。
【００３３】
低速送受信部１７-１〜１７-４は、切替装置１０６外部との接続回線となる低速回線１ｂ〜４ｂと接続され、また、切替装置１０６内ではＣＯＰＹ部１６-１〜１６-４およびＳＥＬ部１５-１〜１５-４とそれぞれ接続されるもので、低速回線１ｂ〜４ｂ上の光信号と切替装置１０２内の電気信号との双方向変換機能を有する。また、低速送受信部１７-１〜１７-４は、低速回線１ｂ〜４ｂから入力される信号を監視し、所定時間以上の信号入力断などの異常が検出されると制御部１８に入力信号の異常を通知する機能を有する。さらに、低速送受信部１７-１〜１７-４は、制御部１８から入力される出力制御信号に従い、低速回線１ｂ〜４ｂへの光出力を停止する機能を有する。
【００３４】
ＣＯＰＹ部１６-１〜１６-４は、低速送受信部１７-１〜１７-４から入力される信号を複製して低速送受信部１４-０-１〜１４-０-４および１４-１-１〜１４-１-４のそれぞれに出力する機能を有する。
【００３５】
ＳＥＬ部１５-１〜１５-４は、低速送受信部１４-０-１〜１４-０-４および１４-１-１〜１４-１-４のそれぞれからの信号を入力し、制御部１８から入力される選択信号に従って入力信号のいずれかを選択して低速送受信部１７-１〜１７-４へ出力する機能を有する。
【００３６】
低速送受信部１４-０-１〜１４-０-４，１４-１-１〜１４-１-４は、切替装置１０２内のＣＯＰＹ部１６-１〜１６-４とＳＥＬ部１５-１〜１５-４と接続され、また、多重化装置１０４，１０５との間にそれぞれ設けられた低速伝送路１ｂ-０〜４ｂ-０，１ｂ-１〜４ｂ-１を介して多重化装置１０４，１０５と接続されるもので、切替装置１０２内の電気信号と低速伝送路１ｂ-０〜４ｂ-０，１ｂ-１〜４ｂ-１上の光信号との双方向変換機能を有する。また、低速伝送路１ｂ-０〜４ｂ-０，１ｂ-１〜４ｂ-１から入力される信号を監視し、所定時間以上の信号入力断などの異常が検出されると制御部１８に入力信号の異常を通知する機能を有する。さらに、制御部１８から入力される出力制御信号に従い、低速伝送路１ｂ-０〜４ｂ-０，１ｂ-１〜４ｂ-１への光出力を停止する機能を有する。
【００３７】
制御部１８は、低速送受信部１７-１〜１７-４と低速送受信部１４-０-１〜１４-０-４，１４-１-１〜１４-１-４のそれぞれから入力される入力信号の異常を示す入力異常信号をチャネル毎に監視し、各低速送受信部の光出力制御とＳＥＬ部１５-１〜１５-４の選択制御機能を有する。
【００３８】
次に、多重化装置１０２〜１０５の構成について詳細に説明する。
【００３９】
多重化装置１０２は、低速送受信部５-０-１〜５-０-４、ＭＵＸ部６-０、ＤＭＵＸ部７-０、高速送受信部８-０およびこれらの各部と接続し、その動作を制御する制御部９-０から構成されている。
【００４０】
低速送受信部５-０-１〜５-０-４のそれぞれは、低速伝送路１ａ-０〜４ａ-０を介して切替装置１０１の低速送受信部４-０-１〜４-０-４と接続され、多重化装置１０２内では、ＭＵＸ部６-０とＤＭＵＸ部７-０と接続されるもので、低速伝送路１ａ-０〜４ａ-０上の光信号と多重化装置１０２内の電気信号との双方向変換機能を有する。また、低速伝送路１ａ-０〜４ａ-０から入力される信号を監視し、所定時間以上の信号入力断などの異常が検出されると制御部９-０に入力信号の異常を通知する。さらに、制御部９-０から入力される出力制御信号に従い、低速伝送路１ａ-０〜４ａ-０への光出力を停止する機能を有する。
【００４１】
ＭＵＸ部６-０は、低速送受信部５-０-１〜５-０-４から入力される信号を多重化して高速送受信部８-０に出力する。また、制御部９-０からの指示に従ってチャネル毎の以上を示す伝送路異常検出パターンを挿入する機能を有する。
【００４２】
ＤＭＵＸ部７-０は、高速送受信部８-０から入力される信号をチャネル単位に分離して該当チャネルの低速送受信部５-０-１〜５-０-４に出力する。また、各チャネルの異常を示す伝送路異常検出パターンを検出して制御部９-０に通知する機能を有する。
【００４３】
高速送受信部８-０は、ＭＵＸ部６-０とＤＭＵＸ部７-０と高速伝送路０との間に配備され、高速伝送路０上の光信号と装置内の電気信号との双方向変換機能を有する。また、高速伝送路０から入力される信号を監視し、異常が検出されると制御部９-０に入力異常を通知する機能と、対向装置に高速伝送路０を通して入力異常を通知する機能を有する。さらに、制御部９-０から入力される出力制御信号に従い、高速伝送路０への光出力を停止する機能を有する。
【００４４】
制御部９-０は、低速送受信部５-０-１〜５-０-４と高速送受信部８-０とＤＭＵＸ部７-０から入力される入力異常信号を監視し、低速送受信部５-０-１〜５-０-４の出力制御と高速送受信部８-０の出力制御を行う機能を有する。
【００４５】
多重化装置１０３〜１０５のそれぞれは、多重化装置１０２と同様に構成されたもので、多重化装置１０３〜１０５のそれぞれにおける低速送受信部５-１-１〜５-１-４，１２-０-１〜１２-０-４，１２-１-１〜１２-１-４は多重化装置１０２における低速送受信部５-０-１〜５-０-４に相当する。また、多重化装置１０３〜１０５のそれぞれにおけるＭＵＸ部６-１，１０-０，１０-１、ＤＭＵＸ部７-１，１１-０，１１-１、高速送受信部８-１，１４-０，１４-１および制御部９-１，１３-０，１３-１のそれぞれは、多重化装置１０２におけるＭＵＸ部６-０、ＤＭＵＸ部７-０、高速送受信部８-０および制御部９-０に相当する。
【００４６】
多重化装置１０３における低速送受信部５-１-１〜５-１-４のそれぞれは、低速伝送路１ａ-１〜４ａ-１を介して切替装置１０１の低速送受信部４-１-１〜４-１-４と接続され、多重化装置１０３内では、ＭＵＸ部６-１とＤＭＵＸ部７-１と接続されるもので、低速伝送路１ａ-１〜４ａ-１上の光信号と多重化装置１０３内の電気信号との双方向変換機能を有する。また、低速伝送路１ａ-１〜４ａ-１から入力される信号を監視し、所定時間以上の信号入力断などの異常が検出されると制御部９-１に入力信号の異常を通知する。さらに、制御部９-１から入力される出力制御信号に従い、低速伝送路１ａ-１〜４ａ-１への光出力を停止する機能を有する。
【００４７】
ＭＵＸ部６-１は、低速送受信部５-１-１〜５-１-４から入力される信号を多重化して高速送受信部８-１に出力する。また、制御部９-１からの指示に従ってチャネル毎の以上を示す伝送路異常検出パターンを挿入する機能を有する。
【００４８】
ＤＭＵＸ部７-１は、高速送受信部８-１から入力される信号をチャネル単位に分離して該当チャネルの低速送受信部５-１-１〜５-１-４に出力する。また、各チャネルの異常を示す伝送路異常検出パターンを検出して制御部９-１に通知する機能を有する。
【００４９】
高速送受信部８-１は、ＭＵＸ部６-１とＤＭＵＸ部７-１と高速伝送路１との間に配備され、高速伝送路１上の光信号と装置内の電気信号との双方向変換機能を有する。また、高速伝送路１から入力される信号を監視し、所定時間以上の信号入力断などの異常が検出されると制御部９-１に入力異常を通知する機能と、対向装置に高速伝送路１を通して入力異常を通知する機能を有する。さらに、制御部９-１から入力される出力制御信号に従い、高速伝送路１への光出力を停止する機能を有する。
【００５０】
制御部９-１は、低速送受信部５-１-１〜５-１-４と高速送受信部８-１とＤＭＵＸ部７-１から入力される入力異常信号を監視し、低速送受信部５-１-１〜５-１-４の出力制御と高速送受信部８-１の出力制御を行う機能を有する。
【００５１】
多重化装置１０４における低速送受信部１２-０-１〜１２-０-４のそれぞれは、低速伝送路１ｂ-０〜４ｂ-０を介して切替装置１０６の低速送受信部１４-０-１〜１４-０-４と接続され、多重化装置１０４内では、ＭＵＸ部１１-０とＤＭＵＸ部１０-０と接続されるもので、低速伝送路１ｂ-０〜４ｂ-０上の光信号と多重化装置１０４内の電気信号との双方向変換機能を有する。また、低速伝送路１ｂ-０〜４ｂ-０から入力される信号を監視し、所定時間以上の信号入力断などの異常が検出されると制御部１３-０に入力信号の異常を通知する。さらに、制御部１３-０から入力される出力制御信号に従い、低速伝送路１ｂ-０〜４ｂ-０への光出力を停止する機能を有する。
【００５２】
ＭＵＸ部１１-０は、低速送受信部１２-０-１〜１２-０-４から入力される信号を多重化して高速送受信部１４-０に出力する。また、制御部１３-０からの指示に従ってチャネル毎の以上を示す伝送路異常検出パターンを挿入する機能を有する。
【００５３】
ＤＭＵＸ部１０-０は、高速送受信部１４-０から入力される信号をチャネル単位に分離して該当チャネルの低速送受信部１２-０-１〜１２-０-４に出力する。また、各チャネルの異常を示す伝送路異常検出パターンを検出して制御部１３-０に通知する機能を有する。
【００５４】
高速送受信部１４-０は、ＭＵＸ部１１-０とＤＭＵＸ部１０-０と高速伝送路０との間に配備され、高速伝送路０上の光信号と装置内の電気信号との双方向変換機能を有する。また、高速伝送路０から入力される信号を監視し、所定時間以上の信号入力断などの異常が検出されると制御部１３-０に入力異常を通知する機能と、対向装置に高速伝送路０を通して入力異常を通知する機能を有する。さらに、制御部１３-０から入力される出力制御信号に従い、高速伝送路０への光出力を停止する機能を有する。
【００５５】
制御部１３-０は、低速送受信部１２-０-１〜１２-０-４と高速送受信部１４-０とＤＭＵＸ部１０-０から入力される入力異常信号を監視し、低速送受信部１２-０-１〜１２-０-４の出力制御と高速送受信部１４-０の出力制御を行う機能を有する。
【００５６】
多重化装置１０５における低速送受信部１２-１-１〜１２-１-４のそれぞれは、低速伝送路１ｂ-１〜４ｂ-１を介して切替装置１０６の低速送受信部１４-１-１〜１４-１-４と接続され、多重化装置１０５内では、ＭＵＸ部１１-１とＤＭＵＸ部１０-１と接続されるもので、低速伝送路１ｂ-１〜４ｂ-１上の光信号と多重化装置１０５内の電気信号との双方向変換機能を有する。また、低速伝送路１ｂ-１〜４ｂ-１から入力される信号を監視し、所定時間以上の信号入力断などの異常が検出されると制御部１３-１に入力信号の異常を通知する。さらに、制御部１３-１から入力される出力制御信号に従い、低速伝送路１ｂ-１〜４ｂ-１への光出力を停止する機能を有する。
【００５７】
ＭＵＸ部１１-１は、低速送受信部１２-１-１〜１２-１-４から入力される信号を多重化して高速送受信部１４-１に出力する。また、制御部１３-１からの指示に従ってチャネル毎の異常を示す伝送路異常検出パターンを挿入する機能を有する。
【００５８】
ＤＭＵＸ部１０-１は、高速送受信部１４-１から入力される信号をチャネル単位に分離して該当チャネルの低速送受信部１２-１-１〜１２-１-４に出力する。また、各チャネルの異常を示す伝送路異常検出パターンを検出して制御部１３-１に通知する機能を有する。
【００５９】
高速送受信部１４-１は、ＭＵＸ部１１-１とＤＭＵＸ部１０-１と高速伝送路１との間に配備され、高速伝送路１上の光信号と装置内の電気信号との双方向変換機能を有する。また、高速伝送路１から入力される信号を監視し、所定時間以上の信号入力断などの異常が検出されると制御部１３-１に入力異常を通知する機能と、対向装置に高速伝送路１を通して入力異常を通知する機能を有する。さらに、制御部１３-１から入力される出力制御信号に従い、高速伝送路０への光出力を停止する機能を有する。
【００６０】
制御部１３-１は、低速送受信部１２-１-１〜１２-１-４と高速送受信部１４-１とＤＭＵＸ部１０-１から入力される入力異常信号を監視し、低速送受信部１２-１-１〜１２-１-４の出力制御と高速送受信部１４-１の出力制御を行う機能を有する。
【００６１】
次に、本実施例の動作について説明する。
【００６２】
まず、本実施例のシステムが、多重化装置１０２，１０４を運用系とし、多重化装置１０１，１０３を予備系として動作している場合の動作について説明する。
【００６３】
図１において、高速送受信部１４-０で伝送路異常を検出すると、制御部１３-０を通して低速送受信部１２-０-１〜１２-０-４に通知し、低速伝送路１ｂ-０〜４ｂ-０への光出力を停止し、低速送受信部１４-０-１〜１４-０-４で伝送路異常を検出し、制御部１８に通知され、ＳＥＬ部１５-１〜１５-４の選択系が０系から１系に変更される。また、低速送受信部１４-０-１〜１４-０-４の光出力を停止することで、逆方向にも伝送路異常を通知することにより、切替装置１０１の低速送受信部４-０-１〜４-０-４でも伝送路異常が検出され、制御部５の制御により、ＳＥＬ部３-１〜３-４の選択系も０系から１系に変更されることにより、双方向の伝送路が０系から１系に切り替えられる。
【００６４】
各部の具体的な動作は以下の通りである。
【００６５】
通常状態では、低速回線１ａから入力される光信号は低速送受信部１-１により電気信号に変換された後、ＣＯＰＹ部２-１で複製されて、低速送受信部４-０-１，４-１-１にて光信号に変換された後に運用系の低速伝送路１ａ-０，予備系の低速伝送路１ａ-１に出力される。このような、低速回線からの光信号を運用系の低速伝送路１ａ-０，予備系の低速伝送路１ａ-１に振り分ける作業は各低速回線１ａ〜４ａのそれぞれについて行われる。
【００６６】
多重化装置１０２，１０３では各低速伝送路のデータをＭＵＸ部６-０，６-１で多重し、高速伝送路０および高速伝送路１に出力する。多重されたデータは多重化装置１０４，１０５で各低速伝送路毎のデータに分離されて、低速伝送路１ｂ-０，１ｂ-１に出力される。
【００６７】
低速回線１ａから入力された光信号は、切替装置１０６では低速送受信部１４-０-１，１４-１-１に入力され、データはＳＥＬ部１５-１に転送されるが、制御部１８は、運用系が多重化装置１０２，１０４とされているため、これらの多重化装置を介して低速送受信部１４-０-１から入力されるデータを選択するように、ＳＥＬ部１５-１を制御する。ＳＥＬ部１５-１出力は低速送受信部１７-１に転送され、低速送受信部１７-１で光信号に変換されて低速回線１ｂへ出力される。逆方向のデータも同様に、ＣＯＰＹ部１６-１でデータが複製され、多重化装置１０４，１０２と１０５，１０３を通して切替装置１０１の低速送受信部４-０-１，４-１-１に入力される。それらのデータは、ＳＥＬ部３-１に入力されるが、制御部５の制御により低速送受信部４-０-１から入力されるデータが選択されて、低速回線１ａに出力される。上記のようにして、低速回線１ａと低速回線１間の双方向通信が可能となる。
【００６８】
次に、通常状態で多重化装置１０２から多重化装置１０４への方向の高速伝送路０で障害が発生した場合の動作について説明する。
【００６９】
多重化装置１０２から多重化装置１０４への方向の運用系である高速伝送路０で障害が発生すると、多重化装置１０４の高速送受信部１４-０は、入力異常を検出し、制御部１３-０へ通知する。また、高速伝送路０への光出力を停止（または、出力信号への入力異常通知信号を付加）することにより、多重化装置１０２へ入力異常を伝送路０を通して通知する。入力異常を通知された制御部１３-０は、低速送受信部１２-０-１〜１２-０-４に出力停止を指示し、これを受けて低速送受信部１２-０-１〜１２-０-４は低速伝送路１ｂ-０〜４ｂ-０への光出力を停止する。
【００７０】
切替装置１０６の低速送受信部１４-０-１〜１４-０-４では、低速伝送路１ｂ-０〜４ｂ-０への光出力の停止により入力異常を検出し、制御部１８に通知する。制御部１８は、低速送受信部１４-０-１〜１４-０-４から入力異常を通知されると、低速送受信部１４-１-１〜１４-１-４から一定時間以内に入力異常が通知されないことを待って、ＳＥＬ部１５-１〜１５-４に対して選択する系を１系に切り替えるように指示する。ＳＥＬ部１５-１〜１５-４は、制御部１８の指示に従って、出力するデータを、低速送受信部１４-０-１〜１４-０-４からの入力データから低速送受信部１４-１-１〜１４-１-４からの入力データに切り替える。
【００７１】
多重化装置１０２では、高速伝送路０からの光入力の停止（または、高速送受信部１４-０から入力異常の通知）を認識した高速送受信部８-０は、制御部９-０に対して出力異常を通知する。制御部９-０は、高速送受信部８-０からの出力異常通知により、低速送受信部５-０-１〜５-０-４に対して出力停止を指示する。低速送受信部５-０-１〜５-０-４は、出力停止指示に応じて、低速伝送路１ａ-０〜４ａ-０の光出力を停止する。これにより、送信先の切替装置１０１の低速送受信部４-０-１〜４-０-４に伝送路の異常が通知される。
【００７２】
切替装置１０１では、低速送受信部４-０-１〜４-０-４で入力異常が検出され、制御部５に通知される。制御部５は、低速送受信部４-０-１〜４-０-４から入力異常を通知されると、低速送受信部４-１-１〜４-１-４から一定時間以内に入力異常が通知されないことを待って、ＳＥＬ部３-１〜３-４に対して選択系を０系から１系に変更するように指示する。ＳＥＬ部３-１〜３-４は、制御部５の指示に従い出力データを、低速送受信部４-０-１〜４-０-４からの入力データから低速送受信部４-１-１〜４-１-４からの入力データに切り替える。
【００７３】
上記のようにして、高速回線０ａでの障害発生により、０系から１系に運用系を変更することにより伝送路の切替が行われる。
【００７４】
次に、通常状態で切替装置１０１から多重化装置１０２への方向の低速伝送路１ａ-０で障害が発生した場合の動作について説明する。
【００７５】
切替装置１０１から多重化装置１０２への方向の低速伝送路１ａ-０で障害が発生すると、多重化装置１０２では、低速送受信部５-０-１で入力異常を検出し、入力異常である旨を制御部９-０へ通知する。制御部９-０は、低速送受信部５-０-１から入力異常を通知されると、ＭＵＸ部６-０に対して該当チャネルの入力異常検出パターンを生成して挿入するように指示する。この指示を受けて、ＭＵＸ部６-０は、該当チャネルのデータの代わりに入力異常検出パターンを挿入し、他のチャネルのデータと多重されて多重化装置１０４に送信される。
【００７６】
多重化装置１０４では、ＭＵＸ部６-０で挿入された入力異常検出パターンがＤＭＵＸ部１０-０で検出される。ＤＭＵＸ部１０-０は、該当チャネルの異常を制御部１３-０に通知する。制御部１３-０は、低速送受信部１２-０-１に出力停止指示を出力する。低速送受信部１２-０-１は、低速伝送路１ｂ-０への光出力を停止し、切替装置１０６に該当チャネルの伝送路異常を通知する。
【００７７】
切替装置１０６の低速送受信部１４-０-１は、伝送路異常を検出すると、制御部１８に該当チャネルの伝送路異常を通知する。制御部１８は、低速送受信部１４-０-１に出力停止指示を出力し、低速送受信部１４-１-１から一定時間伝送路異常通知が入力されないのを待ってＳＥＬ部１５-１に低速送受信部１４-１-０から低速送受信部１４-１-１へ切替指示を出力する。ＳＥＬ部１５-１は、制御部１８からの切替指示に従ってデータの選択系を０系から１系に切り替える。低速送受信部１４-０-１は、制御部１８から出力停止指示を受けると光出力を停止し、多重化装置１０４へ伝送路異常を通知する。
【００７８】
多重化装置１０４の低速送受信部１２-０-１は、低速送受信部１４-０-１からの伝送路異常を検出すると、その旨を制御部１３-０に通知し、制御部１３-０はＭＵＸ部１１-０に伝送路異常検出パターンの挿入指示を通知する。ＭＵＸ部１１-０は該当チャネルのデータの代わりに伝送路異常検出パターンを挿入し、高速送受信部１４-０を通して多重化装置１０２に送信する。
【００７９】
多重化装置１０２のＤＭＵＸ部７-０では、伝送路異常チャネルに挿入された伝送路異常検出パターンを検出すると、制御部９-０に該当チャネルの伝送路異常を通知する。該通知を受けた制御部９-０は、低速送受信部５-０-１に出力停止を指示し、低速送受信部５-０-１は低速伝送路１ａ-０への光出力を停止する。
【００８０】
切替装置１０１の低速送受信部４-０-１は、伝送路異常を検出し、制御部５に伝送路異常を通知する。制御部５は、低速送受信部４-０-１から伝送路異常通知を受信後、一定時間経過するまでに、予備系伝送路である低速送受信部４-１-１から伝送路異常通知が受信されないのを待って、ＳＥＬ部３-１に予備系への切替を指示する。ＳＥＬ部３-１は、選択系を０系から１系に切り替える。このようにして、切替装置１０１から多重化装置１０４への方向で伝送路異常が発生した場合の０系伝送路から１系伝送路への切替を行う。
【００８１】
高速伝送路がＳＯＮＥＴ(Synchronous OpticalNetwork)／ＳＤＨ(SynchronousDigital Hierarchy)の場合は、ＳＯＮＥＴ／ＳＤＨの警報転送機能を利用できる。また、高速伝送路に中継装置が配備された場合でも、ＳＯＮＥＴ／ＳＤＨの警報転送機能で対向装置に警報転送できる。
【００８２】
図２は本発明の第２の実施例の構成を示すブロック図であり、以下に、本発明の第２の実施例について図を２参照して説明する。
【００８３】
本実施例は、図２に示すように、図１に示した第１の実施例における切替装置１０１，１０６の内部構成を異ならせて切替装置１０１’，１０６’としたものである。本実施例において、切替装置１０１’，１０６’の構成部品のうち、低速送受信部１-１’〜１-４’，４-０-１’〜４-０-１’，４-１-１’〜４-１-４’，１７-１’〜１７-４’，１４-０-１’〜１４-０-１’，１４-１-１’〜１４-１-４’および制御部５’，１８’のそれぞれは、図１に示した切替装置１０１，１０６の構成部品の外部に対する動作は、低速送受信部１-１〜１-４，４-０-１〜４-０-１，４-１-１〜４-１-４，１７-１〜１７-４，１４-０-１〜１４-０-１，１４-１-１〜１４-１-４および制御部５，１８と同様である。このため、各切替装置１０１’，１０６’の内部動作についてのみ以下に説明する。
【００８４】
本実施例においては、切替装置１０１’の低速送受信部１-１’〜１-４’と低速送受信部４-０-１’〜４-０-１’，４-１-１’〜４-１-４’の間にスイッチ部２０が設けられ、切替装置１０６’の低速送受信部１７-１’〜１７-４’と低速送受信部１４-０-１’〜１４-０-１’，１４-１-１’〜１４-１-４’の間にスイッチ部２１が設けられている。
【００８５】
本実施例におけるスイッチ部２０，２１は、入出力が１２ポートずつあり、どの出力ポートも他の出力ポートに影響されず、全ての入力ポートの中から１ポートを選択可能なスイッチで、制御部５’からの選択指示により、選択するポートを変更可能である。
【００８６】
スイッチ部２０，２１は、初期状態で出力ポート１に入力ポート５、出力ポート２に入力ポート６、出力ポート３に入力ポート７、出力ポート４に入力ポート８、出力ポート５に入力ポート１、出力ポート６に入力ポート２、出力ポート７に入力ポート３、出力ポート８に入力ポート４、出力ポート９に入力ポート１、出力ポート１０に入力ポート２、出力ポート１１に入力ポート３、出力ポート１２に入力ポート４が接続されている。
【００８７】
通常状態では、低速回線１ａから入力されるデータは、低速送受信部１-１’により電気信号に変換された後、スイッチ部２０で複製されて、低速送受信部４-０-１’，４-１-１’から低速伝送路１ａ-０，１ａ-１に出力される。多重化装置１０２，１０３でほかの低速伝送路のデータと多重され、高速伝送路０，高速伝送路１に出力される。この後、多重化装置１０４，１０５でほかの低速伝送路のデータと分離されて、低速伝送路１ｂ-０，１ｂ-１に出力される。低速送受信部１４-０-１’，１４-１-１’に入力されたデータはスイッチ部２１に転送されるが、低速送受信部１４-０-１’から入力されるデータが選択されて低速回線１ｂへ出力される。逆方向のデータも同様に、スイッチ部２１でデータが複製され、多重化装置１０４，１０２および多重化装置１０５，１０３を通じて切替装置１０１の低速送受信部４-０-１’，４-１-１’に入力される。そのデータは、スイッチ部２０に入力されるが、低速送受信部４-０-１’から入力されるデータが選択されて、低速回線１ａに出力される。このようにして、低速回線１ａと低速回線１間の双方向通信が可能となる。
【００８８】
次に、通常状態で多重化装置１０２から多重化装置１０４への方向の高速伝送路０で障害が発生した場合の本実施例の動作について説明する。
【００８９】
多重化装置１０２から多重化装置１０４への方向の高速伝送路０で障害が発生すると、多重化装置１０４の高速送受信部１４-０は、入力異常を検出し、制御部１３-０へ通知する。また、高速伝送路０への光出力を停止（または、出力信号への入力異常通知信号の付加）により、多重化装置１０２へ入力異常を高速伝送路０を通して通知する。
【００９０】
入力異常を通知された多重化装置１０４の制御部１３-０は、低速送受信部１２-０-１〜１２-０-４に出力停止を指示する。低速送受信部１２-０-１〜１２-０-４は、制御部１３-０より出力停止を指示されると、低速伝送路１ｂ-０〜４ｂ-０への光出力を停止することにより、送信先の切替装置１０６’の低速送受信部１４-０-１〜１４-０-４に伝送路の異常を通知する。
【００９１】
切替装置１０６’の低速送受信部１４-０-１’〜１４-０-４’は入力異常を検出し、制御部１８’に通知される。制御部１８’は、低速送受信部１４-０-１’〜１４-０-４’から入力異常を通知されると、低速送受信部１４-１-１’〜１４-１-４’から一定時間以内に入力異常が通知されないことを待って、スイッチ部２１の出力ポート１〜４に対して選択ポートを入力ポート９〜１２に変更するように指示する。スイッチ部２１は、制御部１８’の指示に従い出力ポート１〜４の出力データを、低速送受信部１４-０-１’〜１４-０-４’のデータから低速送受信部１４-１-１’〜１４-１-４’のデータに切り替える。
【００９２】
一方、多重化装置１０２において、入力異常を通知された高速送受信部８-０は、制御部９-０に対して出力異常を通知する。制御部９-０は、出力異常通知により、低速送受信部５-０-１〜５-０-４に対して出力停止を指示する。低速送受信部５-０-１〜５-０-４は、出力停止指示により、低速伝送路１ａ-０〜４ａ-０の光出力を停止することにより、送信先の切替装置１０１’の低速送受信部４-０-１’〜４-０-４’に伝送路の異常を通知する。
【００９３】
切替装置１０１’の低速送受信部４-０-１’〜４-０-４’で入力異常が検出され、制御部５’に通知される。制御部５’は、低速送受信部４-０-１’〜４-０-４’から入力異常を通知されると、低速送受信部４-１-１’〜４-１-４’から一定時間以内に入力異常が通知されないことを待って、スイッチ部２０の出力ポート１〜４に対して選択ポートを入力ポート９〜１２に変更するように指示する。スイッチ部２０は、制御部５’の指示に従い出力データを、低速送受信部４-０-１’〜４-０-４’のデータから低速送受信部４-１-１’〜４-１-４’のデータに切り替える。
【００９４】
上記のようにして、高速回線０ａでの障害発生により、０系伝送路から１系伝送路に運用系を変更することにより伝送路の切替が行われる。
【００９５】
次に、通常状態で切替装置１０１’から多重化装置１０２への方向の低速伝送路１ａ-０で障害が発生した場合の本実施例の動作について説明する。
【００９６】
切替装置１０１’から多重化装置１０２への方向の低速伝送路１ａ-０で障害が発生すると、低速送受信部５-０-１は入力異常を検出し、制御部９-０へ通知する。制御部９-０は、低速送受信部５-０-１から入力異常が通知されると、ＭＵＸ部６-０に対して該当チャネルの入力異常検出パターンを生成して多重するように指示する。ＭＵＸ部６-０は、該当チャネルのデータの代わりに入力異常検出パターンを挿入し、他のチャネルのデータと多重する。ＭＵＸ部６-０で挿入した入力異常検出パターンは、多重化装置１０４に送信される。
【００９７】
多重化装置１０４のＤＭＵＸ部１０-０では入力異常検出パターンを検出する。ＤＭＵＸ部１０-０は、該当チャネルの異常を制御部１３-０に通知する。制御部１３-０は、低速送受信部１２-０-１に出力停止指示を出力する。低速送受信部１２-０-１は、低速伝送路１ｂ-０への光出力を停止することにより、切替装置１０６’に該当チャネルの伝送路異常を通知する。
【００９８】
切替装置１０６’の低速送受信部１４-０-１’は、伝送路異常を検出すると、制御部１８’に該当チャネルの伝送路異常を通知する。制御部１８’は、低速送受信部１４-０-１’に出力停止指示を出力し、低速送受信部１４-１-１’から一定時間伝送路異常通知が入力されないのを待ってスイッチ部２１の出力ポート１に対して選択ポートを入力ポート９へ変更するように指示する。スイッチ部２１は、制御部１８’からの指示に従ってデータの選択ポートを切り替える。低速送受信部１４-０-１’は、制御部１８’から出力停止指示を受けると、光出力を停止することにより、多重化装置１０４へ伝送路異常を通知する。
【００９９】
多重化装置１０４の低速送受信部１２-０-１は、伝送路異常を検出すると制御部１３-０に通知し、制御部１３-０はＭＵＸ部１１-０に伝送路異常検出パターンの挿入指示を通知する。ＭＵＸ部１１-０は該当チャネルのデータの代わりに伝送路異常検出パターンを挿入し、高速送受信部１４-０を通して多重化装置１０２に送信する。
【０１００】
多重化装置１０２のＤＭＵＸ部７-０は、伝送路異常検出パターンと伝送路異常チャネルを検出すると、制御部９-０に該当チャネルの伝送路異常を通知する。制御部９-０は低速送受信部５-０-１に出力停止を指示する。低速送受信部５-０-１は、低速伝送路１ａ-０への光出力を停止する。
【０１０１】
切替装置１０１’の低速送受信部４-０-１’は、伝送路異常を検出し、制御部５’に伝送路異常を通知する。制御部５’は、低速送受信部４-０-１’から伝送路異常通知を受信後、一定時間経過するまでに、予備系伝送路である低速送受信部４-１-１’から伝送路異常通知が受信されないのを待って、スイッチ部２０の出力ポート１に対して選択ポートを入力ポート９に変更するように指示する。スイッチ部２０の出力ポート１は、低速送受信部４-０-１のデータから低速送受信部４-１-１のデータへ切り替える。このようにして、切替装置１０１’から多重化装置１０４への方向で伝送路異常が発生した際の０系伝送路から１系伝送路への切替を行う。
【０１０２】
図３は、上記実施例のシステムの使用例を示しており、伝送路二重化サービスのユーザ３回線と、伝送路一重化サービスのユーザ２回線を収容するシステム例である。
【０１０３】
伝送路二重化サービスのユーザ（低速回線１ａ〜３ａ、低速回線１ｂ〜３ｂを使用するユーザ）は切替装置１０１’，１０４’を経由して多重化装置に収容され、伝送路一重化サービスのユーザ（低速回線４ａ，５ａ，４ｂ，５ｂを使用するユーザ）は切替装置を経由せず直接多重化装置に収容されている。具体的には、低速回線４ａ，５ａ，４ｂ，５ｂは、低速送受信部５-０-４，５-１-４，１２-０-４，１２-１-４に接続されている。この他の構成は図２に示した実施例と同様である。このような構成とすることは図１に示した第１の実施例に対しても同様に適用可能である。
【０１０４】
伝送路二重化サービスのユーザは０系または１系伝送路のどちらか一方の伝送路の障害は回避できるが、伝送路一重化サービスのユーザは属している伝送路の障害によりサービスが停止してしまうが、それを考慮して伝送路二重化サービスより安価な料金でサービスを提供できる。
【０１０５】
【発明の効果】
本発明は以上説明したように構成されていることにより、以下に記載するような効果を奏する。
【０１０６】
第一の効果は、イーサネットのような警報転送機能が定義されていないデータ通信プロトコルを使用した通信システムにおいて、中継伝送路を二重化し、障害発生時に短時間で伝送路を切り替えることにより、信頼性を向上できることである。
【０１０７】
その理由は、伝送路の障害を検出した場合、通信の下流側および上流側に、伝送路を使用して障害発生を通知するためである。また、通知方法として、各装置で伝送路への光出力を停止するという方法を利用することにより、短時間で障害検出できることも理由である。
【０１０８】
第二の効果は、柔軟なサービスの提供、かつ、装置の有効利用が可能である。
【０１０９】
その理由は、伝送路二重化の切替機能が多重化装置と分割されている為に、伝送路の二重化サービスを利用するユーザの回線は、切替装置を通して多重化装置に接続し、伝送路の二重化サービスを利用しない（一重化サービス）ユーザーの回線は、多重化装置に直接接続することにより、システムとしての収容ユーザ数を増やすことができるためである。例えば、４チャネルを多重する多重化装置があり、伝送路二重化サービスのユーザ数を３とすると、伝送路二重化または一重化サービスのユーザ数の合計は、切替機能が一体化された多重化システムで４ユーザ、切替機能が分割されたシステムで５ユーザとなる。（図３）
第三の効果は、切替装置は多種の通信プロトコルの装置と接続することができる。
【０１１０】
その理由は、光または電気信号の断を検出して切替を行うため、切替装置は通信プロトコル、伝送媒体に依存しないためである。
【０１１１】
第四の効果は、複数箇所の障害に対して障害回避が可能である。
【０１１２】
その理由は、切替装置で複数の回線を収容しているが、各回線とも独立に切替られるような構成になっているため、二重障害に対しても救済することができる。たとえば低速伝送路１ａ-０で障害が発生し低速回線１ａが１系で動作している場合に、低速伝送路２ａ-１側で同時に障害が発生した場合でも低速回線２aは０系で動作することで回線が断にならない状態で運用を続けることができる。
【図面の簡単な説明】
【図１】本発明の第１の実施例の構成を示すブロック図である。
【図２】本発明の第２の実施例の構成を示すブロック図である。
【図３】第２の実施例の使用例を示すブロック図である。
【符号の説明】
１０１，１０２    切替装置
１-１〜１-４，４-０-１〜４-０-４，４-１-１〜４-１-４，１７-１〜１７-４，１４-０-１〜１４-０-４，１４-１-１〜１４-１-４    低速送受信部
１ａ〜４ａ，１ｂ〜４ｂ    低速回線
１ａ-０〜４ａ-０，１ａ-１〜４ａ-１    低速伝送路
２-１〜２-４，１５-１〜１５-４    ＣＯＰＹ部
３-１〜３-４，１６-１〜１６-４    ＳＥＬ部
５，１８    制御部
５-０-１〜５-０-４，５-１-１〜５-１-４，１２-０-１〜１２-０-４，１２-１-１〜１２-１-４    低速送受信部
６-０，６-１，１０-０，１０-１    ＭＵＸ部
７-０，７-１，１１-０，１１-１    ＤＭＵＸ部
８-０，８-１，１４-０，１４-１    高速送受信部
９-０，９-１，１３-０，１３-１    制御部
１０２〜１０５    多重化装置
【図１】
0003849770.tif 000002
【図２】
0003849770.tif 000003
【図３】
0003849770.tif 000004